(57)【要約】【課題】操作手段が不用意に操作された場合に、加熱手段が加熱を行わないようにする。【解決手段】周辺状態検知手段５を備え、操作手段４が操作されたとき、周辺状態検知手段５が予め決めておいた条件で物体を検知した場合には加熱手段２が加熱を行わないようにすることで、操作手段４の上に物が置かれるなどして不用意に操作手段が働いてしまった場合などには、加熱手段２が加熱を行わないようにする。【選択図】図１
2006207843.tif 000002
【特許請求の範囲】
【請求項１】
被加熱物を加熱する加熱手段と、前記加熱手段を制御する加熱制御手段と、押すことにより前記加熱制御手段を操作する操作手段と、前記操作手段の周辺の押された状態を検知して検知した情報を前記加熱制御手段に伝達する周辺状態検知手段を備えた加熱調理装置。
【請求項２】
接触することにより前記加熱制御手段を操作する操作手段と、前記操作手段の周辺に接触した状態を検知して検知した情報を前記加熱制御手段に伝達する周辺状態検知手段を備えた請求項１記載の加熱調理装置。
【請求項３】
前記周辺状態検知手段からの情報に従って予め決めておいた音または光で報知する報知手段を備えた請求項１または請求項２記載の加熱調理装置。
【請求項４】
加熱調理装置全体または一部を振動させる振動手段を備え、前記周辺状態検知手段からの情報に従って前記振動手段が調理装置全体または一部を振動させる請求項１または請求項２記載の加熱調理装置。
【請求項５】
請求項１から請求項４のいずれか１項記載の加熱調理装置の全てもしくは一部として、コンピュータを機能させるプログラム。
【発明の詳細な説明】
【技術分野】
【０００１】
本発明は加熱調理器に関するものである。
【背景技術】
【０００２】
従来、加熱調理装置は、操作性を向上するために操作部を加熱部と同じ面、つまり調理装置がキッチン内に組み込まれている場合、キッチンの上面に操作部を設ける構成になっている（例えば、特許文献１参照）。
【０００３】
図５は、特許文献１に記載された従来の電磁調理器を示すものである。図５に示すように、加熱手段２と、操作手段４から構成されている。
【特許文献１】特開２００４−３１３４５号公報
【発明の開示】
【発明が解決しようとする課題】
【０００４】
しかしながら、前記従来の構成の場合、操作手段４の上に物が置かれるなどして不用意に操作手段４が働いてしまうと、使用者が意識しないところで加熱手段２が作動してしまい、非常に危険である。本発明は、前記従来の課題を解決するもので、人が意識して操作手段を操作した場合にのみ加熱手段を動作させることを目的とする。
【課題を解決するための手段】
【０００５】
前記従来の課題を解決するために、本発明の加熱調理装置は、操作手段の周辺に押されたことを検知する周辺状態検知手段を備え、操作手段が操作されたとき、周辺状態検知手段が予め決めておいた条件で操作手段周辺が押されたことを検知した場合には、加熱手段が加熱を行わないようにすることで、操作手段の上に物が置かれるなどして不用意に操作手段が働いてしまった場合などには、加熱手段が加熱を行わないようにできる。
【発明の効果】
【０００６】
本発明の加熱調理装置は、操作手段の周辺に押されたことを検知する周辺状態検知手段を備え、操作手段が操作されたとき、周辺状態検知手段が予め決めておいた条件で操作手段周辺が押されたことを検知した場合には、加熱手段が加熱を行わないようにすることで、操作手段の上に物が置かれるなどして不用意に操作手段が働いてしまった場合などには、加熱手段が加熱を行わないようにできる。
【発明を実施するための最良の形態】
【０００７】
第１の発明は、被加熱物を加熱する加熱手段と、前記加熱手段を制御する加熱制御手段と、押すことにより前記加熱制御手段を操作する操作手段と、前記操作手段の周辺に押されたことを検知する周辺状態検知手段で構成することにより、操作手段の上に物が置かれるなどして不用意に操作手段が押されて働いてしまった場合に、周辺状態検知手段が予め決めておいた条件で操作手段周辺が押されたことを検知することで、加熱手段が加熱を行わないようにできる。
【０００８】
第２の発明は、特に、第１の発明の周辺状態検知手段を操作手段の周辺に触れたことを検知する周辺状態検知手段で構成することにより、操作手段の上に物が置かれるなどして不用意に操作手段に触れて働いてしまった場合に、周辺状態検知手段が予め決めておいた条件で操作手段周辺に物が触れたことを検知することで、加熱手段が加熱を行わないようにできる。
【０００９】
第３の発明は、特に、第１、第２の発明の周辺状態検知手段が予め決めておいた条件で操作手段周辺に物が押したまたは触れたことを検知することで、加熱手段が加熱を行わないようにできると同時に音または光で報知する報知手段で報知することで、使用者に異常を知らせることができる。
【００１０】
第４の発明は、特に、第１、第２の発明の周辺状態検知手段が予め決めておいた条件で操作手段周辺に物が押したまたは触れたことを検知することで、加熱手段が加熱を行わないようにできると同時に振動手段が調理装置全体または一部を振動させることで、使用者に異常を知らせることができる。
【００１１】
第５の発明は、特に、第１〜４のいずれか１つの発明の全てもしくは一部として、コンピュータを機能させるプログラムとすることで、操作手段の上に物が置かれるなどして不用意に操作手段に触れて働いてしまった場合に、周辺状態検知手段が予め決めておいた条件で操作手段周辺に物が触れたことを検知することで、加熱手段が加熱を行わないようにできる。
【００１２】
以下、本発明の実施の形態について、図面を参照しながら説明する。なお、この実施の形態によって本発明が限定されるものではない。
【００１３】
（実施の形態１）
図１は、本発明の実施の形態１における加熱調理装置のブロック図を示し、図２は、本発明の実施の形態１における加熱調理装置を示す図である。
【００１４】
図１において、加熱手段２は、加熱制御手段３によって被加熱物１の加熱の開始、継続または停止を制御されている。操作手段４は、人が操作手段４を操作した情報を加熱制御手段３に伝達する。周辺状態検知手段５は、スイッチを複数並べて配置するなどして、操作手段４の近傍の押された状態を検知し、検知した情報を加熱制御手段３に伝達する。加熱制御手段３は、操作手段４と周辺状態検知手段５の情報から、加熱手段２による被加熱物１の加熱の開始、継続または停止を決定する。
【００１５】
以上のように構成された加熱調理装置について、以下その動作、作用を説明する。
【００１６】
加熱調理装置を使用する人が、操作手段４を操作すると、周辺状態検知手段５は並べて配置されたスイッチがどれも押されなかったことを検知してその情報を加熱制御手段３に伝達する。熱制御手段３は、操作手段４と周辺状態検知手段５の情報から加熱を行おうとしたと判断して、加熱手段２による加熱を開始する。
【００１７】
加熱調理装置を使用する人が、なんらかの物体を操作手段４と周辺状態検知手段５の両方上にかかるように置き、操作手段４が押されたことを検知したとき、周辺状態検知手段５は並べて配置されたスイッチのうちのいくつかが押されたことを検知してその情報を加熱制御手段３に伝達する。熱制御手段３は、操作手段４と周辺状態検知手段５の情報から加熱を行おうとしたのではないと判断して、加熱手段２による加熱を開始しない。
【００１８】
上記では周辺状態検知手段５を、複数並べたスイッチとしたが、たとえば押された状態を抵抗値の変化で検知できるようなセンサーを使っても良いし、物体が近接した場合の容量変化を検知するようなセンサーを使っても良い。
【００１９】
以上のように、本実施の形態においては、周辺状態検知手段を備え、操作手段が操作されたとき、周辺状態検知手段の検知状態によって意識的に操作が行われたかどうかを判断することで、無意識に操作手段が操作された場合に加熱手段が加熱を行わないようにできる。
【００２０】
（実施の形態２）
図３は、本発明の実施の形態２における加熱調理装置のブロック図を示すものである。
【００２１】
図３において、加熱手段２は、加熱制御手段３によって被加熱物１の加熱の開始、継続または停止を制御されている。操作手段４は、人が操作手段４を操作した情報を加熱制御手段３に伝達する。周辺状態検知手段５は、スイッチを複数並べて配置するなどして、操作手段４の近傍の押された状態を検知し、検知した情報を加熱制御手段３に伝達する。加熱制御手段３は、操作手段４と周辺状態検知手段５の情報から、加熱手段２による被加熱物１の加熱の開始、継続または停止を決定し報知手段６で報知を行う。
【００２２】
以上のように構成された加熱調理装置について、以下その動作、作用を説明する。
【００２３】
加熱調理装置を使用する人が、操作手段４を操作すると、周辺状態検知手段５は並べて配置されたスイッチがどれも押されなかったことを検知してその情報を加熱制御手段３に伝達する。熱制御手段３は、操作手段４と周辺状態検知手段５の情報から加熱を行おうとしたと判断して、加熱手段２による加熱を開始する。
【００２４】
加熱調理装置を使用する人が、なんらかの物体を操作手段４と周辺状態検知手段５の両方上にかかるように置き、操作手段４が押されたことを検知したとき、周辺状態検知手段５は並べて配置されたスイッチのうちのいくつかが押されたことを検知してその情報を加熱制御手段３に伝達する。熱制御手段３は、操作手段４と周辺状態検知手段５の情報から加熱を行おうとしたのではないと判断して加熱手段２による加熱を開始せず、さらに開始しなかったことが使用者にわかるように報知手段６によって音声で報知する。
【００２５】
上記では報知手段６を、音声としたが、たとえばＬＥＤやランプを使って光で報知しても良いし、振動装置を使って振動を伝えることで報知しても良い。
【００２６】
以上のように、本実施の形態においては、周辺状態検知手段を備え、操作手段が操作されたとき、周辺状態検知手段の検知状態によって意識的に操作が行われたかどうかを判断することで、無意識に操作手段が操作された場合に加熱手段が加熱を行わないようにできる。
【００２７】
（実施の形態３）
図１は、本発明の実施の形態３における温度検知機能付き加熱調理装置のブロック図を、図４は、本発明の実施の形態３における温度検知機能付き加熱調理装置のフローチャートを示すものである。
【００２８】
図１において、加熱手段２は、加熱制御手段３によって被加熱物１の加熱の開始、継続または停止を制御されている。操作手段４は、人が操作手段４を操作した情報を加熱制御手段３に伝達する。周辺状態検知手段５は、スイッチを複数並べて配置するなどして、操作手段４の近傍の押された状態を検知し、検知した情報を加熱制御手段３に伝達する。加熱制御手段３は、操作手段４と周辺状態検知手段５の情報から、加熱手段２による被加熱物１の加熱の開始、継続または停止を決定する。
【００２９】
以上のように構成された加熱調理装置について、以下その動作、作用を説明する。
【００３０】
加熱調理装置を使用する人が、操作手段４を操作して調理開始操作（ＳＴＥＰ１）を行うと、加熱制御手段３は、周辺状態検知手段５が物体を検知したかどうかを判断し（ＳＴＥＰ２）、検知していれば加熱調理開始しない（ＳＴＥＰ４）。周辺状態検知手段５が物体を検知していなければ、加熱制御手段３は加熱調理を開始する（ＳＴＥＰ３）。
【００３１】
以上のように、本実施の形態においては、周辺状態検知手段を備え、操作手段が操作されたとき、周辺状態検知手段５の検知状態によって意識的に操作が行われたかどうかを判断することで、無意識に操作手段が操作された場合に加熱手段が加熱を行わないようにできる。
【産業上の利用可能性】
【００３２】
以上のように、本発明にかかる加熱調理装置は、周辺状態検知手段を備え、操作手段が操作されたとき、周辺状態検知手段の検知状態によって意識的に操作が行われたかどうかを判断することで、無意識に操作手段が操作された場合に加熱手段が加熱を行わないようにできる。
【図面の簡単な説明】
【００３３】
【図１】本発明の実施の形態１における加熱調理装置のブロック図
【図２】本発明の実施の形態１における加熱調理装置の配置図
【図３】本発明の実施の形態２における加熱調理装置のブロック図
【図４】本発明の実施の形態３における加熱調理装置のフローチャート
【図５】従来の加熱調理装置の配置図
【符号の説明】
【００３４】
１  被加熱物
２  加熱手段
３  加熱制御手段
４  操作手段
５  周辺状態検知手段
６  報知手段
【図１】
2006207843.tif 000003
【図２】
2006207843.tif 000004
【図３】
2006207843.tif 000005
【図４】
2006207843.tif 000006
【図５】
2006207843.tif 000007